(57)【要約】【課題】より長期間にわたり流入する水に混入する異物を良好に捕集することができるストレーナ装置を提供する。【解決手段】ストレーナ装置１０は、流入する水に混入した異物を捕集する網１２Ｂを有し、筒状のストレーナ本体１２と、ストレーナ本体１２に収納され、水を受ける回転翼部１３Ｂを有し、回転翼部１３Ｂが水を受けると回転する整流部材１３とを備えている。これによって、ストレーナ本体１２を収納した空間内の水の流れを旋回流にして、ストレーナ本体１２の網１２Ｂの一部に水の流れが集中することを抑え、網１２Ｂにかかる負担をより広範囲に分散することができるため、網１２Ｂを破損し難くすることができる。【選択図】図１
2019188370.tif 000002
【特許請求の範囲】
【請求項１】
流入する水に混入した異物を捕集する網を有し、筒状のストレーナ本体と、
前記ストレーナ本体に収納され、前記水を受ける回転翼部を有し、前記回転翼部が前記水を受けると回転する整流部材と、
を備えていることを特徴とするストレーナ装置。
【請求項２】
前記整流部材の回転を検知するセンサを備えていることを特徴とする請求項１に記載のストレーナ装置。
【請求項３】
前記ストレーナ本体を収納し、前記水が流入する流入口、前記水が流出する流出口、及び流入した前記水が滞留する滞留部が形成されたハウジングを備え、
前記回転翼部の少なくとも一部が前記滞留部内に配置されていることを特徴とする請求項１又は２に記載のストレーナ装置。
【発明の詳細な説明】
【技術分野】
【０００１】
本発明は、ストレーナ装置に関する。
【背景技術】
【０００２】
特許文献１には、流入口と流出口とが直交するように設けられた筐体内にストレーナ（ストレーナ本体）が配置されたストレーナ装置が開示されている。このストレーナ装置はストレーナが流入口と流出口とが直交する部位に配置されている。また、このストレーナは一端面が閉鎖された円筒状に形成された網状体の外側面に網状体の形状を保持するフレームが配置されている。このストレーナ装置は、流入口から流入する水に混入する異物を網状体の内側で捕集し、網状体を通過した水が流出口から流出する。
【先行技術文献】
【特許文献】
【０００３】
【特許文献１】特開２００６−３５０７７号公報
【発明の概要】
【発明が解決しようとする課題】
【０００４】
しかし、特許文献１において、流入口から流入した水は流出口側に位置する網状体に集中して流れると考えられる。このため、このストレーナ装置は、網状体にかかる負担が流出口側に集中することになり、流出口側の網状体が破損し易いと考えられる。
【０００５】
本発明は、上記従来の事情に鑑みてなされたものであって、より長期間にわたり流入する水に混入する異物を良好に捕集することができるストレーナ装置を提供することを解決すべき課題としている。
【課題を解決するための手段】
【０００６】
本発明のストレーナ装置は、
流入する水に混入した異物を捕集する網を有し、筒状のストレーナ本体と、
前記ストレーナ本体に収納され、前記水を受ける回転翼部を有し、前記回転翼部が前記水を受けると回転する整流部材と、
を備えていることを特徴とする。
【０００７】
このストレーナ装置は、ストレーナ本体に流入する水によって回転翼部が水を受けると整流部材が回転する。これによって、ストレーナ本体を収納した空間内の水の流れを旋回流にして、ストレーナ本体の網の一部に水の流れが集中することを抑え、網にかかる負担をより広範囲に分散することができ、網を破損し難くすることができる。
【０００８】
したがって、本発明のストレーナ装置はより長期間にわたり流入する水に混入する異物を良好に捕集することができる。
【図面の簡単な説明】
【０００９】
【図１】実施例１のストレーナ装置、及び開閉弁の断面図である。
【図２】実施例１のストレーナ装置の整流部材及び規制部材の斜視図である。
【図３】実施例１のストレーナ装置、及び開閉弁を設置した状態を示す模式図であって、（Ａ）は床面から上方向に延びる給水管が開閉弁に接続されて設置された状態であり、（Ｂ）は壁面から横方向に延びる給水管が開閉弁に接続されて設置された状態である。
【発明を実施するための形態】
【００１０】
本発明における好ましい実施の形態を説明する。
【００１１】
本発明のストレーナ装置は整流部材の回転を検知するセンサを備え得る。ストレーナ装置の網に捕集された異物の量が増えると、網を通過する水の流量が減少することになる。すると、整流部材の回転翼部が受ける水の量が減少するため、整流部材の回転数も減少することになる。つまり、このストレーナ装置は、センサによって検知した整流部材の回転に基づいて、網が異物を捕集した程度を把握することができる。
【００１２】
本発明のストレーナ装置は、ストレーナ本体を収納し、水が流入する流入口、水が流出する流出口、及び流入した水が滞留する滞留部が形成されたハウジングを備え、回転翼部の少なくとも一部が滞留部内に配置され得る。この場合、ストレーナ本体に流入する水を回転翼部が受けると整流部材が回転すると共に、滞留部に滞留した水が整流部材と共に回転する回転翼部によって生じる流れに乗って滞留部から流出し易くなる。つまり、このストレーナ装置は滞留部に水が滞留することを防ぐことができる。
【００１３】
次に、本発明のストレーナ装置を具体化した実施例１について、図面を参照しつつ説明する。
【００１４】
＜実施例１＞
ストレーナ装置１０は、図１に示すように、ハウジング１１、ストレーナ本体１２及び整流部材１３を備えている。
【００１５】
ハウジング１１は、第１筒部１１Ａ、第２筒部１１Ｂ、及び第１蓋体１１Ｃを備えている。
第１筒部１１Ａは両端が開口した円筒状をなしている。第１筒部１１Ａの外周面の両端部には、ねじ山が形成されている。第１筒部１１Ａの一端部には、他端部の内径より縮径した段部１１Ｄが形成されている。また、第１筒部１１Ａの段部１１Ｄより他端部側には、後述するストレーナ本体１２、整流部材１３、及び規制部材１４が収納されるストレーナ室１１Ｅが形成されている。
【００１６】
第２筒部１１Ｂは円筒状をなしており、一端部が第１筒部１１Ａの外周面の中央部に連結して第１筒部１１Ａのストレーナ室１１Ｅと連通し、第１筒部１１Ａに直交する方向に円筒状をなして延びている。第２筒部１１Ｂの他端部の外周面には、ねじ山が形成されている。第２筒部１１Ｂは中心軸方向の中央部に鍔部１１Ｊが設けられている。また、鍔部１１Ｊの他端部側には周方向に延びる溝部１１Ｌが形成されており、溝部１１ＬにＯリングが嵌め込まれている。
【００１７】
第１蓋体１１Ｃは円筒状をなしている。また、第１蓋体１１Ｃの一端部の内周面には、ねじ山が形成されており、他端部には内径が縮径した第１縮径部１１Ｋが設けられている。第１蓋体１１Ｃは一端部を第１筒部１１Ａの他端部のねじ山に締め込むことができる。また、第１蓋体１１Ｃの外周面の一部にはセンサ１１Ｆが設けられている。センサ１１Ｆは磁気を検知することができる。センサ１１Ｆは信号線１１Ｈが引き出されている。信号線１１Ｈは、例えば、制御部（図示せず）等に電気的に接続されており、センサ１１Ｆが検知した磁気の強さに基づいてセンサ１１Ｆから出力された信号を制御部に入力することができる。制御部は信号線１１Ｈを介して入力された信号に所定の演算処理を行うことができる。
こうして形成された、ハウジング１１は、第２筒部１１Ｂの他端が、水が流入する流入口１１Ｍであり、第１筒部１１Ａの一端が、水が流出する流出口１１Ｎである。流入口１１Ｍ、及び流出口１１Ｎのそれぞれの開口する向きは互いに直交する方向に向いている。つまり、ハウジング１１には水が流入する流入口１１Ｍ、及び水が流出する流出口１１Ｎが形成されている。
【００１８】
ストレーナ本体１２は、枠体１２Ａ、及び網１２Ｂを有している。
枠体１２Ａは外周面に複数の開口１２Ｃが形成された円筒状をなしている。枠体１２Ａの外径は一端から中央部にわたり、第１筒部１１Ａの段部１１Ｄの内径とほぼ同じである。また、枠体１２Ａの他端部の外径はストレーナ室１１Ｅの内径とほぼ同じである。枠体１２Ａは一端部と他端部との間に複数の開口１２Ｃが形成されている。また、枠体１２Ａの一端部及び他端部のそれぞれの外周面には、周方向に延びて溝部１２Ｅ，１２Ｆが形成され、各溝部にＯリングが嵌め込まれている。枠体１２Ａの他端部は閉鎖されており、閉鎖された部分から枠体１２Ａの中心軸に沿って、枠体から離れる方向に突出した突出部１２Ｄが設けられている。
網１２Ｂは円筒状に形成されており、枠体１２Ａの各開口１２Ｃを枠体１２Ａの外周面側から覆っている。つまり、ストレーナ本体１２は円筒状である。
また、枠体１２Ａの一端部には、規制部材１４が取り付けられている。規制部材１４は、円環状をなした円環部１４Ａの内周面に、円環部１４Ａの中心軸から放射方向に延びた複数の柱状部材１４Ｂが連結されている（図２参照。）。
【００１９】
整流部材１３は、一方向に延びる軸部１３Ａ、及び４つの回転翼部１３Ｂを有している。軸部１３Ａは円柱状をなして一方向に延びている。
各回転翼部１３Ｂは同一の形状である。各回転翼部１３Ｂは帯状をなし、２つの長辺の内の一方の辺を軸部１３Ａの外周面に連結し、軸部１３Ａの中心軸周りに螺旋状をなして形成されている。隣り合う回転翼部１３Ｂは軸部１３Ａの周方向に９０度ずれた位置に配置されている。軸部１３Ａの一端部に位置する各回転翼部の軸部１３Ａから放射方向に離れた側の辺には、円環状をなした円環部材１３Ｃが連結されている。
また、軸部１３Ａの他端には円板状をなした円板部材１３Ｄが軸部１３Ａに同軸上に連結されている。円板部材１３Ｄの外径はストレーナ本体１２の枠体１２Ａの内径より小さい。円板部材１３Ｄの外周縁の一部には、磁石１３Ｅが埋め込まれている（図２参照。）。また、各回転翼部１３Ｂの軸部１３Ａから放射方向に離れた側の辺は円板部材１３Ｄの外周から外方向に突出しないように形成されている。
整流部材１３は円板部材１３Ｄが設けられた側をストレーナ本体１２の枠体１２Ａの他端部側に向けて枠体１２Ａに収納されている。整流部材１３は枠体１２Ａに対して軸部１３Ａの中心軸を中心に回転自在である。
【００２０】
整流部材１３及び規制部材１４が組み付けられたストレーナ本体１２は、第１蓋体１１Ｃの第１縮径部１１Ｋにストレーナ本体１２の突出部１２Ｄを挿通した状態で、ストレーナ本体１２の規制部材１４が取り付けられた側からストレーナ室１１Ｅ内に挿入される。そして、第１蓋体１１Ｃを第１筒部１１Ａの他端部のねじ山に締め込むことによって、整流部材１３及び規制部材１４が組み付けられたストレーナ本体１２がストレーナ室１１Ｅ内に配置される。つまり、ハウジング１１はストレーナ本体１２を収納する。
このとき、枠体１２Ａの溝部１２ＥのＯリングが第１筒部１１Ａの段部１１Ｄの内周面と溝部１２Ｅの底面とで押しつぶされることによって、枠体１２Ａの一端部の外周面と第１筒部の段部１１Ｄの内周面とが水密状に連結される。
また、枠体１２Ａの溝部１２ＦのＯリングがストレーナ室１１Ｅの内周面と溝部１２Ｆの底面とで押しつぶされることによって、第１筒部１１Ａの他端部の内周面と枠体１２Ａの他端部の外周面とが水密状に連結され、第１筒部１１Ａの他端部が水密状に閉鎖される。
このとき、ストレーナ本体１２の中心軸方向における、整流部材１３の磁石１３Ｅの位置、及び第１蓋体１１Ｃのセンサ１１Ｆの位置はほぼ同じである。また、第１筒部１１Ａにおいて、第２筒部１１Ｂよりも第１蓋体１１Ｃ側に位置する部分は、水が滞留し易い滞留部１１Ｇである。滞留部１１Ｇは流出口１１Ｎに対して第２筒部１１Ｂを挟んだ位置に形成されている。また、滞留部１１Ｇは、流入口１１Ｍと流出口１１Ｎとを繋ぐ経路の外に位置している。つまり、ストレーナ装置１０のハウジング１１の第１筒部１１Ａには、流入した水が滞留する滞留部１１Ｇが形成されている。そして、滞留部１１Ｇ内には、回転翼部１３Ｂの一部が配置されている。
また、第１蓋体１１Ｃを第１筒部１１Ａの他端部から取り外すと、整流部材１３及び規制部材１４が組み付けられたストレーナ本体１２はストレーナ室１１Ｅから取り出すことができる。
【００２１】
また、ハウジング１１の第２筒部１１Ｂの他端部には止水栓である開閉弁３０が連結されている。開閉弁３０は、弁収納筒部３１、開閉弁本体３２、及び操作部３３を有している。つまり、ストレーナ装置１０は止水栓に取り付けられている。
弁収納筒部３１は両端が開口した円筒状をなしている。弁収納筒部３１の一端部及び他端部のそれぞれの内周面には、ねじ山が形成されている。
また、弁収納筒部３１には操作軸収納筒部３４、及び第３筒部３５が設けられている。操作軸収納筒部３４は円筒状をなしており、一端部が弁収納筒部３１の外周面に連結して弁収納筒部３１内に連通し、弁収納筒部３１に直交する方向に延びている。操作軸収納筒部３４の他端部の外周面には、ねじ山が形成されている。
第３筒部３５は円筒状をなしており、他端部が弁収納筒部３１の外周面に連結して弁収納筒部３１に連通し、弁収納筒部３１を挟んで操作軸収納筒部３４に同軸上に延びている。第３筒部３５の一端部の内周面には、ねじ山が形成されている。また、第３筒部３５の一端部には第３筒部３５を水密状に閉鎖する閉鎖部材５１が締め込まれている。
【００２２】
開閉弁本体３２は所謂ボールバルブである。開閉弁本体３２には、中心を通り貫通する第１通水路３２Ａ、及び中心を通り第１通水路３２Ａに直交する方向に延び第１通水路３２Ａに連通する第２通水路３２Ｂが形成されている。開閉弁本体３２は中心を弁収納筒部３１の中心軸と、操作軸収納筒部３４及び第３筒部３５の中心軸とが交差する位置に合わせて、弁収納筒部３１に収納されている。
【００２３】
開閉弁本体３２には、第２通水路３２Ｂに同軸上であって、開閉弁本体３２の中心を挟んだ位置に、ほぼ円柱状をなした操作軸部３２Ｃの一端部が連結されている。操作軸部３２Ｃは中心軸方向の中央部に鍔部３２Ｄが設けられている。操作軸部３２Ｃは、操作軸収納筒部３４に挿通され、鍔部３２Ｄを操作軸収納筒部３４の他端面に沿うように配置されている。また、操作軸収納筒部３４内に位置する操作軸部３２Ｃの外周面には周方向に延びる一対の溝部３２Ｅが操作軸部３２Ｃの中心軸方向に並んで形成されており、各溝部３２ＥにＯリングが嵌め込まれている。これらＯリングが操作軸収納筒部３４の内周面と各溝部３２Ｅの底面とで押しつぶされることによって、操作軸収納筒部３４の内周面と操作軸部３２Ｃとが水密状に連結され、操作軸収納筒部３４が水密状に閉鎖される。
【００２４】
また、操作軸収納筒部３４の他端部には第２蓋体３６が取り付けられている。第２蓋体３６は円筒状をなしており、一端部の内周面には、ねじ山が形成され、他端部の内周面が縮径して第２縮径部３６Ａ形成されている。第２蓋体３６は操作軸収納筒部３４から突出した操作軸部３２Ｃに挿通され、操作軸収納筒部３４の他端部のねじ山に締め込こまれている。操作軸部３２Ｃの鍔部３２Ｄは、操作軸収納筒部３４の他端面と第２蓋体３６の第２縮径部３６Ａとで挟まれている。
【００２５】
操作部３３は、操作部本体３３Ａ、及びつまみ部３３Ｂを具備している。操作部本体３３Ａは円筒状をなしている。操作部本体３３Ａは第２蓋体３６から突出した操作軸部３２Ｃに同軸上にねじＳによって連結されている。つまみ部３３Ｂは、操作部本体３３Ａの外周面から、操作部本体３３Ａの中心軸に直交する方向に延びている。
【００２６】
また、弁収納筒部３１の他端部には連結筒部３７が設けられている。連結筒部は、両端が開口した円筒状をなしており、一端部の外周面と他端部の内周面とにねじ山が形成されている。連結筒部３７は中心軸方向の中央部に鍔部３７Ａが設けられている。また、鍔部３７Ａの一端部側には周方向に延びる溝部３７Ｂが形成されており、溝部３７ＢにＯリングが嵌め込まれている。連結筒部３７は一端部が弁収納筒部３１の他端部に締め込まれている。連結筒部３７は鍔部３７Ａが弁収納筒部３１の他端面に当接している。連結筒部３７は、溝部３７ＢのＯリングが弁収納筒部３１の他端部の内周面と溝部３７Ｂの底面とで押しつぶされることによって、弁収納筒部３１の他端部と水密状に連結している。また、連結筒部３７の他端部には水を給水する給水管５０が締め込まれている。給水管５０は、図３（Ａ）に示すように、床面Ｆから立ち上がって延びている。
こうして形成された開閉弁３０は弁収納筒部３１の一端部がハウジング１１の第２筒部１１Ｂの他端部に締め込まれている。第２筒部１１Ｂの鍔部１１Ｊは弁収納筒部３１の一端面に当接している。
弁収納筒部３１は、第２筒部１１Ｂの溝部１１ＬのＯリングが弁収納筒部３１の一端部の内周面と溝部１１Ｌの底面とで押しつぶされることによって、第２筒部１１Ｂの他端部と水密状に連結している。
【００２７】
開閉弁３０は、操作部３３を操作することによって、操作軸部３２Ｃを介して開閉弁本体３２を操作軸部３２Ｃの中心軸周りに回動させることができる。
開閉弁３０は、第１通水路３２Ａが延びる向きを弁収納筒部３１の中心軸の向きに合わせると、弁収納筒部３１の一端部側と、弁収納筒部３１の他端部側及び第３筒部３５とが連通した連通状態になる。
また、開閉弁３０は、第１通水路３２Ａが延びる向きを弁収納筒部３１の中心軸の向きに直交する向きにすると、弁収納筒部３１の一端部側と、弁収納筒部３１の他端部側及び第３筒部３５とが連通しない非連通状態になる。
【００２８】
操作部３３を操作して開閉弁３０を連通状態にする。すると、給水管５０から供給された水は、開閉弁３０、及びハウジング１１の第２筒部１１Ｂの流入口１１Ｍを介してストレーナ装置１０に流入する。そして、ストレーナ本体１２の網１２Ｂによって、水に混入した異物が捕集される。整流部材１３の各回転翼部１３Ｂが網１２Ｂを通過した水を受けると整流部材１３が回転する。すると、整流部材１３の回転によって整流部材１３の軸部１３Ａ周りに水が旋回して流れつつ、第１筒部１１Ａの流出口１１Ｎから流出する。つまり、ストレーナ本体１２内の水は整流部材１３の軸部１３Ａ周りに旋回して流れる。このとき、第１筒部１１Ａの滞留部１１Ｇに位置する水は、整流部材１３の回転翼部１３Ｂによって生じる水の流れに乗って滞留部１１Ｇから流出し、第１筒部１１Ａの流出口１１Ｎ側に向けて流れ易くなる。こうして、ストレーナ装置１０は滞留部１１Ｇに水が滞留し難くすることができる。
また、ストレーナ本体１２の外周面とストレーナ室１１Ｅの内周面との間に位置する水も、ストレーナ本体１２内で旋回する水に誘導されて、整流部材１３の軸部１３Ａ周りに旋回して流れる。これにより、第２筒部１１Ｂとストレーナ室１１Ｅとが連通する領域に位置する網１２Ｂに水の流れが集中することを抑え、網１２Ｂにかかる負担をより広範囲に分散することができるため、網１２Ｂを破損し難くすることができる。
【００２９】
このとき、整流部材１３と共に回転する磁石１３Ｅの磁気を第１蓋体１１Ｃのセンサ１１Ｆが検知する。つまり、センサ１１Ｆは整流部材１３と共に回転する磁石１３Ｅ磁気を検知することによって整流部材１３の回転を検知する。そして、センサ１１Ｆは自身が検知した磁気の強さに基づいて信号を出力し、この信号を信号線１１Ｈを介して制御部に入力する。そして、入力された信号に対して制御部で所定の演算処理することによって、整流部材１３の回転する状態（例えば、整流部材１３が単位時間当たりに回転する回転数等）を得ることができる。
【００３０】
また、図３（Ｂ）に示すように、給水管５０に替えて、壁面Ｗから横方向に延びる給水管５２を用いる場合、連結筒部３７の他端部に閉鎖部材５１を締め込んで、連結筒部３７の他端部を水密状に閉鎖すると共に、第３筒部３５に給水管５２を締め込む。これによって、床面Ｆから立ち上がる給水管５０を連結筒部３７の他端部に締め込んだ場合とストレーナ装置１０の姿勢を同じにすることができる。
【００３１】
このように、ストレーナ装置１０は、ストレーナ本体１２に流入する水によって回転翼部１３Ｂが水を受けると整流部材１３が回転する。これによって、ストレーナ本体１２を収納した空間内の水の流れを旋回流にして、ストレーナ本体１２の網１２Ｂの一部に水の流れが集中することを抑え、網１２Ｂにかかる負担をより広範囲に分散することができるため、網１２Ｂを破損し難くすることができる。
【００３２】
したがって、本発明のストレーナ装置１０は、より長期間にわたり流入する水に混入する異物を良好に捕集することができる。
【００３３】
また、ストレーナ装置１０は整流部材１３の回転を検知するセンサ１１Ｆを備えている。ストレーナ装置１０の網１２Ｂに捕集された異物の量が増えると、網１２Ｂを通過する水の流量が減少することになる。すると、整流部材１３の回転翼部１３Ｂが受ける水の量が減少するため、整流部材１３の回転数も減少することになる。つまり、このストレーナ装置１０は、センサ１１Ｆによって検知した整流部材１３の回転に基づいて、網１２Ｂが異物を捕集した程度を把握することができる。
【００３４】
また、ストレーナ装置１０は、ストレーナ本体１２を収納し、水が流入する流入口１１Ｍ、水が流出する流出口１１Ｎ、及び流入した水が滞留する滞留部１１Ｇが形成されたハウジング１１を備え、回転翼部１３Ｂの一部が滞留部１１Ｇ内に配置されている。このため、ストレーナ本体１２に流入する水を回転翼部１３Ｂが受けると整流部材１３が回転すると共に、整流部材１３と共に回転する回転翼部１３Ｂによって生じる流れに乗って滞留部１１Ｇに滞留した水が滞留部１１Ｇから流出し易くなる。つまり、このストレーナ装置１０は滞留部１１Ｇに水が滞留することを防ぐことができる。
【００３５】
本発明は上記記述及び図面によって説明した実施例１に限定されるものではなく、例えば次のような実施例も本発明の技術的範囲に含まれる。
（１）実施例１では、回転翼部が４つ設けられているが、３つ以下でもよく、５つ以上であってもよい。
（２）実施例１では、センサによって整流部材の磁石の磁気を検知しているが、第１蓋体の外周面に複数の金属線が束ねられたコイルを設け、整流部材と共に回転する磁石によってコイルに誘導電流が生じる構成としてもよい。つまり、コイルは整流部材が回転することによって発電する。また、整流部材の単位時間当たりの回転数に応じてコイルで生じる誘導電流の大きさが変化するため、誘導電流の大きさに対応した信号を制御部に入力し、この信号を制御部で演算処理することによって、網が異物を捕集した程度を把握することもできる。
また、この誘導電流によって電球やＬＥＤ等を点灯させる構成とすれば、誘導電流の大きさに応じて点灯する電球やＬＥＤの明るさが変化するため、点灯する電球やＬＥＤの明るさによっても網が異物を捕集した程度を把握することができる。
また、整流部材に第１蓋体を貫通して回転軸を設け、この回転軸に発電機の回転軸を連結する構成とし、整流部材の回転によって発電機を駆動して発電してもよい。
（３）実施例１では、回転翼部が整流部材の一端から他端にわたり設けられているが、回転翼部を整流部材の中央部に設けず、一端部及び他端部に設けてもよい。
（４）実施例１では、第２筒部から水が流入して、第１筒部の一端部から流出しているが、第１筒部の一端部から水が流入して、第２筒部から流出させてもよい。
（５）実施例１では、網が枠体の各開口を外周面側から覆っているが、網を枠体の内周面側に配置してもよい。
【符号の説明】
【００３６】
１０…ストレーナ装置
１１…ハウジング
１１Ｆ…センサ
１１Ｇ…滞留部
１１Ｍ…流入口
１１Ｎ…流出口
１２…ストレーナ本体
１２Ｂ…網
１３…整流部材
１３Ｂ…回転翼部
【図１】
2019188370.tif 000003
【図２】
2019188370.tif 000004
【図３】
2019188370.tif 000005